(57)【要約】【課題】ユーザの使用傾向に沿った情報入力源を優先的に選択することが可能な入力切替装置を提供する。【解決手段】この液晶テレビジョン１００（入力切替装置）は、映像表示部１１に表示させる映像信号情報を入力するための複数の情報入力源（第１〜第５外部入力および内蔵ＴＶチューナー部３１）のユーザからの切替指示を受け付ける入力切替ボタン４０または５２と、予め定められた順番に情報入力源を切り替える通常モードと、ユーザにより情報入力源が選択されて使用されることにより蓄積された優先度が高い情報入力源を優先的に選択して切り替える優先モードとのいずれかのモードで制御するように構成され、通常モードにおいて選択された情報入力源に対応する表示が所定の時間ｔ１（約３０秒）未満である場合に、優先度を下げる制御を行うように構成された制御部３６とを備える。【選択図】図２
2011023859.tif 000002
【特許請求の範囲】
【請求項１】
表示部に表示させる映像信号情報を入力するための複数の情報入力源のユーザからの切替指示を受け付ける入力切替受付部と、
前記入力切替受付部によりユーザからの切替指示を受け付けた場合に、予め定められた順番に情報入力源を切り替える通常モードと、ユーザにより前記情報入力源が選択されて使用されることにより蓄積された優先度が高い前記情報入力源を優先的に選択して切り替える優先モードとのいずれかのモードで制御するように構成され、前記通常モードにおいて選択された前記情報入力源に対応する表示が第１の時間未満である場合に、前記優先度を下げる制御を行うように構成された制御部とを備える、入力切替装置。
【請求項２】
前記制御部は、前記優先モードにおいて選択された前記情報入力源に対応する表示が前記第１の時間以上行われた場合に、前記優先度を上げる制御を行うように構成されている、請求項１に記載の入力切替装置。
【請求項３】
前記入力切替受付部は、ユーザが押下することにより前記情報入力源の切替指示を受け付ける切替ボタンを含み、
前記制御部は、前記切替ボタンが第２の時間以上押下された場合に、前記通常モードと前記優先モードとの間を互いに切り替えるように構成されている、請求項１または２に記載の入力切替装置。
【請求項４】
前記制御部は、前記通常モードと前記優先モードとの間を互いに切り替える場合には、前記通常モードにおいて選択された前記情報入力源に対応する表示が前記第１の時間未満である場合にも、前記優先度を下げないように構成されている、請求項３に記載の入力切替装置。
【請求項５】
前記制御部は、前記優先モードの場合において前記優先度が最小値である前記情報入力源を選択しない制御を行うように構成されている、請求項１〜４のいずれか１項に記載の入力切替装置。
【請求項６】
前記制御部は、前記優先モードにおいて、同じ前記優先度の情報入力源が複数存在する場合に、前記同じ優先度の情報入力源のうちの前記予め定められた順番の早い順に優先的に選択して切り替えるように構成されている、請求項１〜５のいずれか１項に記載の入力切替装置。
【請求項７】
前記優先度には、所定の上限値が設けられており、
情報入力源は、内蔵チューナー部と、外部入力機器からの複数の外部入力とを含み、
前記制御部は、前記複数の外部入力の全てにおいて蓄積された前記優先度が前記所定の上限値に達した場合に、前記複数の外部入力において蓄積された前記優先度を初期値に戻す制御を行うように構成されている、請求項１〜６のいずれか１項に記載の入力切替装置。
【請求項８】
前記内蔵チューナー部の優先度は、前記所定の上限値で固定されている、請求項７に記載の入力切替装置。
【請求項９】
前記ユーザが使用することにより蓄積された前記優先度を記憶する記憶部をさらに備える、請求項１〜８のいずれか１項に記載の入力切替装置。
【請求項１０】
表示部と、
前記表示部に表示させる映像信号情報を入力するための複数の情報入力源のユーザからの切替指示を受け付ける入力切替受付部と、
前記複数の情報入力源のうちの１つである内蔵チューナー部と、
前記内蔵チューナー部と切替可能に構成され、前記内蔵チューナー部以外の前記情報入力源である複数の外部入力機器を接続可能で、かつ、前記外部入力機器からの外部入力が入力される複数の外部入力接続部と、
前記入力切替受付部によりユーザからの切替指示を受け付けた場合に、予め定められた順番に情報入力源を切り替える通常モードと、ユーザにより前記情報入力源が選択されて使用されることにより蓄積された優先度が高い前記情報入力源を優先的に選択して切り替える優先モードとのいずれかのモードで制御するように構成され、前記通常モードにおいて選択された前記情報入力源に対応する表示が第１の時間未満である場合に、前記優先度を下げる制御を行うように構成された制御部とを備える、テレビジョン装置。
【発明の詳細な説明】
【技術分野】
【０００１】
この発明は、入力切替装置およびテレビジョン装置に関し、特に、複数の情報入力源を切替可能な入力切替装置およびテレビジョン装置に関する。
【背景技術】
【０００２】
従来、複数の情報入力源を切替可能な入力切替装置およびテレビジョン装置などが知られている（たとえば、特許文献１〜４参照）。
【０００３】
上記特許文献１には、複数の外部入力端子（情報入力源）と、ユーザの操作に基づいて複数の外部入力端子のいずれか１つを選択可能な入力切替キーと、外部入力端子が選択された時間の累積時間を記憶する順番格納メモリと、入力切替キーを操作された際に、予め定められた順番で外部入力を切り替える第１切替プログラムまたは外部入力端子が選択された時間の累積時間が長い外部入力から優先的に接続する第２切替プログラムのいずれかにより制御される制御部とを備えるテレビジョン受像機が開示されている。特許文献１によるテレビジョン受像機は、順番格納メモリに記憶された時間データが所定の期間の経過後に古いデータから削除されることにより、順番格納メモリに記憶された時間データの累積時間を減少させるように構成されている。
【０００４】
また、上記特許文献２には、複数の外部入力端子（情報入力源）と、ユーザが操作するのに基づいて複数の外部入力端子のいずれか１つを選択可能な入力切替キーと、外部入力端子が選択された回数を記憶する回数格納メモリと、ユーザにより入力切替キーが操作された際に、選択された回数が最も多い外部入力端子から優先的に接続するように構成された制御部とを備える電子機器が開示されている。
【０００５】
また、上記特許文献３には、複数の外部入力端子（情報入力源）と、ユーザが操作するのに基づいて複数の外部入力端子のいずれか１つを選択可能な入力切替ボタンと、接続された外部入力端子の履歴情報を記憶するＲＯＭと、ＲＯＭに記憶されている接続された外部入力端子の履歴情報に基づいて入力端子が接続されている総接続時間を演算するとともに、入力切替ボタンが操作された際に総接続時間が最も長い外部入力端子から優先的に接続するように構成された制御部とを備える電子機器が開示されている。また、特許文献３による電子機器は、ＲＯＭに記憶された履歴情報が所定の期間の経過後に古いものから削除されることにより、総接続時間を減少させるように構成されている。
【０００６】
また、上記特許文献４には、複数の外部入力端子（情報入力源）と、ユーザが操作するのに基づいて複数の外部入力端子のいずれか１つを選択可能な切替スイッチと、外部入力端子が選択された時間および回数を蓄積するメモリと、ユーザにより入力切替スイッチを操作された際に、メモリに記憶されている時間および回数が多い外部入力端子から優先的に選択するように構成された制御部とを備える映像機器が開示されている。
【先行技術文献】
【特許文献】
【０００７】
【特許文献１】特開２００８−３１１９１４号公報
【特許文献２】特開２００８−１８２３９７号公報
【特許文献３】特開２００５−１０１８６３号公報
【特許文献４】特開２００５−２４４７８５号公報
【発明の概要】
【発明が解決しようとする課題】
【０００８】
しかしながら、上記特許文献１に記載のテレビジョン受像機および特許文献３に記載の電子機器では、順番格納メモリ（ＲＯＭ）に記憶されたデータが所定の期間の経過後に古いものから削除されることにより、累積接続時間を減少させるように構成されているため、所定の期間の経過後でなければ、自動的に複数の外部入力端子（情報入力源）の選択優先度が変更されないという不都合がある。このため、たとえば、外部入力端子に接続されている外部機器の接続を解除した場合にも、その外部入力端子が所定の期間で優先的に選択されるなど、ユーザの使用傾向と異なる情報入力源が優先的に選択されるという問題点がある。
【０００９】
また、上記特許文献２に記載の電子機器および上記特許文献４に記載の映像機器では、外部入力端子（情報入力源）が選択された時間および回数が蓄積されるとともに、切替スイッチ（入力選択部）が操作された際に、蓄積された時間および回数が多い外部入力端子が優先的に選択されるため、たとえば、外部入力端子に接続されている外部機器を変更した場合にも、他の複数の外部入力端子の選択優先度が加算されることにより、その外部入力端子の選択優先度が他の複数の外部入力端子の選択優先度よりも相対的に低くなるまで、ユーザの使用傾向と異なる情報入力源が優先的に選択されるという問題点がある。
【００１０】
この発明は、上記のような課題を解決するためになされたものであり、この発明の１つの目的は、ユーザの使用傾向に沿った情報入力源を優先的に選択することが可能な入力切替装置およびテレビジョン装置を提供することである。
【課題を解決するための手段および発明の効果】
【００１１】
この発明の第１の局面による入力切替装置は、表示部に表示させる映像信号情報を入力するための複数の情報入力源のユーザからの切替指示を受け付ける入力切替受付部と、入力切替受付部によりユーザからの切替指示を受け付けた場合に、予め定められた順番に情報入力源を切り替える通常モードと、ユーザにより情報入力源が選択されて使用されることにより蓄積された優先度が高い情報入力源を優先的に選択して切り替える優先モードとのいずれかのモードで制御するように構成され、通常モードにおいて選択された情報入力源に対応する表示が第１の時間未満である場合に、優先度を下げる制御を行うように構成された制御部とを備える。
【００１２】
この第１の局面による入力切替装置では、上記のように、通常モードにおいて選択された情報入力源に対応する表示が第１の時間未満である場合に、優先度を下げる制御を行う制御部を設けることによって、たとえば、外部入力に接続されている外部機器の接続が解除された場合などに、使用しなくなる情報入力源の優先度を早く下げることができる。これにより、選択された情報入力源の優先度を上げるだけの場合や、所定の期間をかけて優先度を低下させる場合と比べて、早く、使用しない情報入力源の優先度を他の複数の情報入力源の優先度よりも相対的に低くすることができる。その結果、ユーザの使用傾向に沿った情報入力源を優先的に選択することができる。また、通常モードにおいて優先度を下げる制御を行う制御部を設けることによって、ユーザは、普段使用する情報入力源を選択する場合、普段使用しない情報入力源の選択をスキップなどする優先モードを使用するので、普段使用しない情報入力源を選択する際に使用することが多い通常モードのみで、情報入力源の優先度を下げることができる。これによっても、ユーザの使用傾向に沿った情報入力源を優先的に選択することができる。
【００１３】
上記第１の局面による入力切替装置において、好ましくは、制御部は、優先モードにおいて選択された情報入力源に対応する表示が第１の時間以上行われた場合に、優先度を上げる制御を行うように構成されている。このように構成すれば、優先モードにおいて選択可能な複数の情報入力源の間で優先度の差をつけることができる。
【００１４】
上記第１の局面による入力切替装置において、好ましくは、入力切替受付部は、ユーザが押下することにより情報入力源の切替指示を受け付ける切替ボタンを含み、制御部は、切替ボタンが第２の時間以上押下された場合に、通常モードと前記優先モードとの間を互いに切り替えるように構成されている。このように構成すれば、切替ボタンを第２の時間以上押下（長押し）することにより、簡単な操作で容易に、通常モードと優先モードとを切り替えることができる。
【００１５】
この場合において、好ましくは、制御部は、通常モードと優先モードとの間を互いに切り替える場合には、通常モードにおいて選択された情報入力源に対応する表示が第１の時間未満である場合にも、優先度を下げないように構成されている。このように構成すれば、通常モードと優先モードとの切替時には、ユーザは通常モードと優先モードとの間を互いに切り替える意図のみを有して切替ボタンの操作をしていると考えられるので、この場合には、ユーザの考えに沿って優先度を下げずに維持することができる。
【００１６】
上記第１の局面による入力切替装置において、好ましくは、制御部は、優先モードの場合において優先度が最小値である情報入力源を選択しない制御を行うように構成されている。このように構成すれば、優先度が加算されている情報入力源間で情報入力源を選択することができるので、ユーザが普段使用することのない優先度が最小値である情報入力源をスキップするとともに、使用頻度の高い情報入力源のみを選択することができる。
【００１７】
上記第１の局面による入力切替装置において、好ましくは、制御部は、優先モードにおいて、同じ優先度の情報入力源が複数存在する場合に、同じ優先度の情報入力源のうちの予め定められた順番の早い順に優先的に選択して切り替えるように構成されている。このように構成すれば、同じ優先度の情報入力源がある場合にも、規則的に情報入力源を選択することができる。
【００１８】
上記第１の局面による入力切替装置において、好ましくは、優先度には、所定の上限値が設けられており、情報入力源は、内蔵チューナー部と、外部入力機器からの複数の外部入力とを含み、制御部は、複数の外部入力の全てにおいて蓄積された優先度が所定の上限値に達した場合に、複数の外部入力において蓄積された優先度を初期値に戻す制御を行うように構成されている。このように構成すれば、優先モードにおける全ての優先度が飽和状態になることにより複数の外部入力間で優先度の差がつけられなくなった場合にも、優先モードにおける優先度をリセットして初めから蓄積することができる。
【００１９】
この場合において、好ましくは、内蔵チューナー部の優先度は、所定の上限値で固定されている。このように構成すれば、優先モードの場合にも、容易に、内蔵チューナー部に戻ることができる。
【００２０】
上記第１の局面による入力切替装置において、好ましくは、ユーザが使用することにより蓄積された優先度を記憶する記憶部をさらに備える。このように構成すれば、記憶部により、蓄積された優先度を容易に記憶させることができる。
【００２１】
この発明の第２の局面によるテレビジョン装置は、表示部と、表示部に表示させる映像信号情報を入力するための複数の情報入力源のユーザからの切替指示を受け付ける入力切替受付部と、複数の情報入力源のうちの１つである内蔵チューナー部と、内蔵チューナー部と切替可能に構成され、内蔵チューナー部以外の情報入力源である複数の外部入力機器を接続可能で、かつ、外部入力機器からの外部入力が入力される複数の外部入力接続部と、入力切替受付部によりユーザからの切替指示を受け付けた場合に、予め定められた順番に情報入力源を切り替える通常モードと、ユーザにより情報入力源が選択されて使用されることにより蓄積された優先度が高い情報入力源を優先的に選択して切り替える優先モードとのいずれかのモードで制御するように構成され、通常モードにおいて選択された情報入力源に対応する表示が第１の時間未満である場合に、優先度を下げる制御を行うように構成された制御部とを備える。
【００２２】
上記第２の局面によるテレビジョン装置では、上記のように、通常モードにおいて選択された情報入力源に対応する表示が第１の時間未満である場合に、優先度を下げる制御を行う制御部を設けることによって、たとえば、外部入力に接続されている外部機器の接続が解除された場合などに、使用しなくなる情報入力源の優先度を早く下げることができる。これにより、選択された情報入力源の優先度を上げるだけの場合や、所定の期間をかけて優先度を低下させる場合と比べて、早く、使用しない情報入力源の優先度を他の複数の情報入力源の優先度よりも相対的に低くすることができる。その結果、ユーザの使用傾向に沿った情報入力源を優先的に選択することができる。また、通常モードにおいて優先度を下げる制御を行う制御部を設けることによって、ユーザは、普段使用する情報入力源を選択する場合、普段使用しない情報入力源の選択をスキップなどする優先モードを使用するので、普段使用しない情報入力源を選択する際に使用することが多い通常モードのみで、情報入力源の優先度を下げることができる。これによっても、ユーザの使用傾向に沿った情報入力源を優先的に選択することができる。
【図面の簡単な説明】
【００２３】
【図１】本発明の一実施形態による液晶テレビジョンの全体構成を示した図である。
【図２】図１に示した一実施形態による液晶テレビジョンの回路構成を示したブロック図である。
【図３】図１に示した一実施形態による液晶テレビジョンを操作するリモコン送信機を示した図である。
【図４】図１に示した一実施形態による液晶テレビジョンの不揮発性メモリに記憶されている優先度の状態遷移を説明するための図である。
【図５】図１に示した一実施形態による液晶テレビジョンの情報入力源の切替処理フローを説明するためのフローチャートである。
【発明を実施するための形態】
【００２４】
以下、本発明を具体化した実施形態を図面に基づいて説明する。
【００２５】
図１〜図４を参照して、本発明の一実施形態による液晶テレビジョン１００の構成について説明する。なお、本実施形態では、入力切替装置およびテレビジョン装置の一例である液晶テレビジョン１００に本発明を適用した場合について説明する。
【００２６】
本発明の一実施形態による液晶テレビジョン１００は、図１に示すように、テレビジョン本体１０と、テレビジョン本体１０の正面に設けられた映像表示部１１と、映像表示部１１の左右両側に設けられた音声出力部（スピーカ）１２とにより主に構成されている。なお、映像表示部１１は、本発明の「表示部」の一例である。
【００２７】
また、液晶テレビジョン１００は、図２に示すように、アンテナ２０を介してテレビジョン放送の放送信号波を受信する内蔵ＴＶチューナー部３１と、ＤＶＤプレーヤー（外部入力機器）４１およびパソコン（外部入力機器）４２などと接続可能な第１外部入力接続部３２ａ、第２外部入力接続部３２ｂ、第３外部入力接続部３２ｃ、第４外部入力接続部３２ｄおよび第５外部入力接続部３２ｅからなる外部入力接続部３２と、内蔵ＴＶチューナー部３１および外部入力接続部３２に接続される外部入力機器からの外部入力の映像信号および音声信号の入力を切換可能なＡＶ入力選択部３３と、ＡＶ入力選択部３３からの映像信号の各種処理を行う映像処理部３４と、ＡＶ入力選択部３３からの音声信号を処理する音声処理部３５とを備えている。なお、内蔵ＴＶチューナー部３１は、本発明の「情報入力源」および「内蔵チューナー部」の一例である。また、ＤＶＤプレーヤー４１は、本発明の「情報入力源」および「外部入力機器」の一例であり、パソコン４２は、本発明の「情報入力源」および「外部入力機器」の一例である。また、本実施形態では、本発明を説明する際の一例として、第３外部入力接続部３２ｃにＤＶＤプレーヤー４１が接続されているとともに、第５外部入力接続部３２ｅにパソコン４２が接続されている例について説明する。
【００２８】
ＡＶ入力選択部３３は、内蔵ＴＶチューナー部３１および外部入力接続部３２と接続されている。ユーザの後述するテレビジョン本体１０の入力切替ボタン４０またはリモコン５０の入力切替ボタン５２（図３参照）の選択操作に基づいて、内蔵ＴＶチューナー部３１および外部入力接続部３２に接続された外部入力機器（外部入力）のいずれか１つを選択する機能を有する。なお、入力切替ボタン４０および５２は、それぞれ、本発明の「入力切替受付部」および「切替ボタン」の一例である。また、ＡＶ入力選択部３３は、内蔵ＴＶチューナー部３１および外部入力接続部３２に接続された外部入力機器（外部入力）のいずれか１つから入力される映像信号および音声信号を、それぞれ、映像処理部３４および音声処理部３５に送信する機能を有する。
【００２９】
また、映像処理部３４は、ＡＶ入力選択部３３から入力される映像信号をＡ／Ｄ変換処理（アナログ／デジタル変換処理）する機能を有する。また、映像処理部３４は、Ａ／Ｄ変換処理（アナログ／デジタル変換処理）した映像信号から同期信号分離、同期タイミング生成を行い、生成した同期タイミングに従って信号処理、オンスクリーン情報等を付加して映像表示部１１に送信するように構成されている。これにより、ＡＶ入力選択部３３により選択された内蔵ＴＶチューナー部３１または外部入力接続部３２に接続された外部入力機器（外部入力）から入力される映像信号に対応する画像を映像表示部１１に表示することが可能となる。
【００３０】
また、音声処理部３５は、ＡＶ入力選択部３３から入力される音声信号の増幅、音量調整を行う機能を有する。また、音声処理部３５は  音声出力部１２（図１および図２参照）に接続されており、増幅、音量調整された音声信号を音声出力部１２に送信するように構成されている。これにより、ＡＶ入力選択部３３により選択された内蔵ＴＶチューナー部３１または外部入力接続部３２に接続された外部入力機器（外部入力）から出力される音声信号に対応する音声を音声出力部１２から出力することが可能となる。
【００３１】
また、液晶テレビジョン１００は、上述の構成要素に加えて、ＣＰＵからなる制御部３６と、主電源３７と、不揮発性メモリ３８と、リモコン５０からのリモコン信号（赤外線など）を受光する受信部３９と、入力切替ボタン４０とをさらに備えている。制御部３６は、液晶テレビジョン１００の全体の制御を司る機能を有する。また、主電源３７は、制御部３６と接続されており、液晶テレビジョン１００をオン状態またはオフ状態にすることが可能に構成されている。不揮発性メモリ３８は、後述する優先モードにおいて内蔵ＴＶチューナー部３１または外部入力接続部３２が選択される優先度などを記憶する機能を有する。また、受信部３９は、受光したリモコン５０からのリモコン信号（赤外線など）に基づいて制御部３６に指令を与える機能を有する。入力切替ボタン４０は、ユーザが押下することにより、ＡＶ入力選択部３３が内蔵ＴＶチューナー部３１および外部入力接続部３２に接続された外部入力機器のいずれか１つを選択可能に構成されている。なお、不揮発性メモリ３８は、本発明の「記憶部」の一例である。
【００３２】
ここで、本実施形態では、制御部３６は、入力切替ボタン４０などによりユーザからの切替指示を受け付けた場合に、予め定められた順番に情報入力源（内蔵ＴＶチューナー部３１および第１〜第５外部入力）を切り替える通常モードと、ユーザにより情報入力源が選択されて使用されることにより蓄積された優先度が高い情報入力源を優先的に選択して切り替える優先モードとのいずれかのモードで制御するように構成されている。初期状態の不揮発性メモリ３８には、図４に示すように、入力切替ボタン４０などが押圧された場合に、ＡＶ入力選択部３３が内蔵ＴＶチューナー部３１を基準（「０」と表示）として、第１外部入力接続部３２ａから入力される第１外部入力を１番目、第２外部入力接続部３２ｂから入力される第２外部入力を２番目、第３外部入力接続部３２ｃから入力される第３外部入力を３番目、第４外部入力接続部３２ｄから入力される第４外部入力を４番目および第５外部入力接続部３２ｅから入力される第５外部入力を５番目に選択するように切替順序番号Ｎが予め定められている。そして、通常モードでは、制御部３６は、上記切替順序番号Ｎの順で情報入力源（内蔵ＴＶチューナー部３１および外部入力接続部３２）を切替させるように構成されている。この通常モードは、普段使用しない情報入力源も選択されるので、たとえば、ユーザが普段使用していた情報入力源の外部入力接続部３２から外部機器を外すとともに普段使用していない外部入力接続部３２に外部機器を接続するなど、情報入力源の構成を変更した場合に使用されると考えられる。すなわち、通常モードにおいてユーザが短時間で情報入力源の表示を切り替える場合、その情報入力源は優先度を下げる程に使用しない情報入力源であると考えられる。
【００３３】
また、不揮発性メモリ３８には、複数の情報入力源（内蔵ＴＶチューナー部３１および第１〜第５外部入力）に対応する優先度が記憶されている。これら優先度は、制御部３６が優先モードにおいてＡＶ入力選択部３３を制御した場合に、優先度の高い情報入力源を優先的にＡＶ入力選択部３３に選択させる基準である。また、ユーザが入力切替ボタン４０などを操作することにより、情報入力源（内蔵ＴＶチューナー部３１および第１〜第５外部入力）が切り替えられる場合に、切り替えられた情報入力源に対応する優先度は、増減されるように構成されている。つまり、優先度は、ユーザが使用することにより「０」〜「３」の間で蓄積または削減され、不揮発性メモリ３８に記憶されるように構成されている。
【００３４】
ここで、本実施形態では、制御部３６は、情報入力源（内蔵ＴＶチューナー部３１および第１〜第５外部入力）に対応する表示が所定の時間ｔ１（約３０秒）以上行われた場合に、その情報入力源の優先度を１つ上げるように構成されている。また、本実施形態では、制御部３６は、情報入力源（内蔵ＴＶチューナー部３１および第１〜第５外部入力）に対応する表示が所定の時間ｔ１（約３０秒）未満である場合には、その情報入力源の優先度をそのままに維持するように構成されている。なお、所定の時間ｔ１は、本発明の「第１の時間」の一例である。
【００３５】
そして、制御部３６は、優先モードの場合において上記表示が所定の時間ｔ１（約３０秒）以上行われた場合には、上げられた優先度を維持するように構成されている。つまり、制御部３６は、優先モードの場合において情報入力源（内蔵ＴＶチューナー部３１および第１〜第５外部入力）に対応する表示が所定の時間ｔ１（約３０秒）以上行われた場合には、その情報入力源の優先度を１つ上げる機能を有する。
【００３６】
その一方で、本実施形態では、制御部３６は、通常モードの場合において、情報入力源（内蔵ＴＶチューナー部３１および第１〜第５外部入力）に対応する表示が所定の時間ｔ１未満の場合に、対応する情報入力源の優先度を１つ下げる制御を行うように構成されている。
【００３７】
また、本実施形態では、情報入力源（内蔵ＴＶチューナー部３１および第１〜第５外部入力）の優先度には、所定の上限値（最大値）が設けられており、所定の上限値は３である。また、内蔵ＴＶチューナー部３１の優先度は、優先度の最大値である「３」で固定されている。
【００３８】
また、制御部３６は、入力切替ボタン４０などが所定の時間ｔ２（約０．５秒）以上押下された場合に、通常モードと優先モードとの間を互いに切替可能に構成されている。つまり、通常モードと優先モードとは、入力切替ボタン４０などが長押しされた場合に切り替えられる。なお、所定の時間ｔ２は、本発明の「第２の時間」の一例である。
【００３９】
また、図３に示すように、リモコン５０は、液晶テレビジョン１００の主電源３７をオン状態またはオフ状態にすることが可能な電源ボタン５１と、テレビジョン本体１０の入力切替ボタン４０と同様に、ＡＶ入力選択部３３が内蔵ＴＶチューナー部３１および外部入力（第１外部入力〜第５外部入力）のいずれか１つを選択するようにユーザにより操作可能な入力切替ボタン５２と、テレビ番組のチャンネル番号を直接入力して選局するためのチャンネル入力ボタン群５３と、現在選局されているチャンネル番号をアップ／ダウンさせることによって選局を行うためのチャンネルアップ／ダウンボタン５４と、音量調節ボタン５５と、映像表示部１１によって液晶テレビジョン１００の諸設定を行わせるための操作ボタン群５６とにより構成されている。なお、入力切替ボタン５２は、本発明の「操作ボタン」の一例である。
【００４０】
次に、図２〜図５を参照して、本実施形態による液晶テレビジョン１００における情報入力源（内蔵ＴＶチューナー部３１および第１〜第５外部入力）の切替処理フローについて説明する。
【００４１】
まず、図５に示すように、ステップＳ１において、制御部３６（図２参照）により、現在のモードが通常モードまたは優先モードのいずれかであるかが確認され、ステップＳ２に進む。なお、本実施形態では、現在のモードを確認した後、ユーザの所定の操作に基づいて、現在のモードが通常モードおよび優先モードのいずれであるのかを映像表示部１１にＯＳＤ表示される。その後、ステップＳ２において、ユーザにより入力切替ボタン４０（図２参照）または５２（図３参照）が押下されたか否かが判断され、入力切替ボタン４０または５２が押下されたと判断されるまでこの動作を繰り返す。
【００４２】
その後、ステップＳ３において、上記ステップＳ２において行われた判断が、この切替処理フローの開始時または前回に行われたステップＳ２の入力切替操作から所定の時間ｔ１（約３０秒）以上経過したか否かが判断される。すなわち、ステップＳ２における切替操作前に選択されていた情報入力源に対応する映像などが映像表示部１１に表示されていたか否かが判断される。そして、ステップＳ３において、切替処理フローの開始時または前回に行われたステップＳ２の入力切替操作から所定の時間ｔ１（約３０秒）以上経過していないと判断された場合には、後述するステップＳ８に進む。また、ステップＳ３において、切替処理フローの開始時または前回に行われたステップＳ２の入力切替操作から所定の時間ｔ１（約３０秒）以上経過していたと判断された場合には、ステップＳ４に進む。
【００４３】
そして、ステップＳ４において、現在選択されている情報入力源に対応する優先度（図４参照）が最大値「３」であるか否かが判断される。そして、ステップＳ４において、現在選択されている情報入力源に対応する優先度が最大値「３」であると判断された場合には、後述するステップＳ８に進む。また、ステップＳ４において、現在選択されている情報入力源に対応する優先度が最大値「３」でないと判断された場合には、ステップＳ５に進み、情報入力源に対応する優先度に「１」が加えられてステップＳ６に進む。つまり、ステップＳ３〜Ｓ５においては、通常モードおよび優先モードに関わらず、この切替処理フローの開始時または前回に行われたステップＳ２の入力切替操作から所定の時間ｔ１（約３０秒）以上経過した後に、入力切替ボタン４０または５２が押下された場合には、対応する情報入力源の優先度を増加させる処理が行われる。
【００４４】
その後、ステップＳ６において、全ての情報入力源（内蔵ＴＶチューナー部３１および第１〜第５外部入力）のそれぞれの優先度が最大値「３」であるか否かが判断される。そして、ステップＳ６において、全ての情報入力源のそれぞれの優先度が最大値「３」であると判断された場合には、ステップＳ７に進み、全ての情報入力源のうち全ての外部入力接続部３２に対応する優先度がリセットされる。つまり、全ての外部入力接続部３２に対応する優先度が「０」に戻される。また、ステップＳ６において、全ての情報入力源のそれぞれの優先度が最大値「３」ではないと判断された場合には、ステップＳ８に進む。
【００４５】
その後、ステップＳ８において、上記ステップＳ２におけるユーザによる入力切替ボタン４０または５２の操作が、入力切替ボタン４０または５２を所定の時間ｔ２（約０．５秒）以上押下した操作であったか否かが判断される。つまり、ステップＳ８において、ステップＳ２におけるユーザの入力切替ボタン４０または５２の操作が「長押し」であったか否かが判断される。
【００４６】
そして、ステップＳ８において、上記ステップＳ２におけるユーザによる入力切替ボタン４０または５２の操作が、入力切替ボタン４０または５２を所定の時間ｔ２（約０．５秒）以上押下した操作であったと判断された場合には、ステップＳ９に進む。そして、ステップＳ９において、現在のモード（通常モードまたは優先モードのいずれか一方のモード）が新しいモード（通常モードまたは優先モードのいずれか他方のモード）に変更され、後述するステップＳ１３に進む。また、ステップＳ８において、上記ステップＳ２におけるユーザによる入力切替ボタン４０または５２の操作が、入力切替ボタン４０または５２を所定の時間ｔ２（約０．５秒）以上押下した操作ではなかったと判断された場合には、ステップＳ１０に進む。
【００４７】
そして、ステップＳ１０において、現在のモードが通常モードであるか否かが判断される。そして、ステップＳ１０において、現在のモードが通常モードではないと判断された場合には、後述するステップＳ１３に進む。また、ステップＳ１０において、現在のモードが通常モードであると判断された場合には、ステップＳ１１に進む。そして、ステップＳ１１において、現在選択されている情報入力源に対応する優先度が「０」であるか否かが判断される。そして、ステップＳ１１において、優先度が「０」であると判断された場合には、優先度を変更することなく後述するステップＳ１３に進む。これにより、優先度が負の値になるのを抑制することが可能となる。また、ステップＳ１１において、優先度が「０」でないと判断された場合には、ステップＳ１２に進み、現在選択されている情報入力源に対応する優先度から「１」が減算され、ステップＳ１３に進む。すなわち、ステップＳ１０〜Ｓ１２においては、通常モードであると判断された場合には、現在選択されている情報入力源に対応する優先度から「１」が減算され、優先モードであると判断された場合には、現在選択されている情報入力源に対応する優先度が維持される。これにより、通常モードの場合において、情報入力源（内蔵ＴＶチューナー部３１および第１〜第５外部入力）に対応する表示が所定の時間ｔ１（約３０秒）以上の場合には、上記ステップＳ５において１つ上げられた優先度が再度１つ下げられることにより、選択前の優先度を維持することが可能である。また、通常モードの場合において、情報入力源（内蔵ＴＶチューナー部３１および第１〜第５外部入力）に対応する表示が所定の時間ｔ１（約３０秒）未満の場合には、上記ステップＳ５を処理しないので、蓄積されたその情報入力源の優先度を１つ下げることが可能となる。
【００４８】
また、上記ステップＳ８において、入力切替ボタン４０または５２を所定の時間ｔ２（約０．５秒）以上押下した操作であった場合には、ステップＳ１０〜Ｓ１２の処理が行われないため、通常モードまたは優先モードのいずれかに関わらず、現在選択されている情報入力源に対応する優先度が減少されることなく、現在選択されている情報入力源に対応する優先度が維持される。すなわち、通常モードと優先モードとの間を互いに切り替える場合には、蓄積された優先度は下げられない。
【００４９】
その後、ステップＳ１３において、現在のモードが優先モードであるか否かが判断される。そして、ステップＳ１３において、現在のモードが優先モードではなく、通常モードであると判断された場合には、ステップＳ１４に進む。そして、ステップＳ１４において、現在選択されている情報入力源の次の切替順序番号Ｎの情報入力源（内蔵ＴＶチューナー部３１および第１〜第５外部入力）が選択されるとともに切り替えられ、ステップＳ２に戻る。また、ステップＳ１３において、現在のモードが優先モードであると判断された場合には、ステップＳ１５に進む。そして、ステップＳ１５において、現在選択されている情報入力源に対応する優先度よりも１つ小さい優先度を有する情報入力源（内蔵ＴＶチューナー部３１および第１〜第５外部入力）が選択され、切り替えられる。なお、本実施形態では、現在選択されている情報入力源に対応する優先度が「１」である場合、優先度が「０」の情報入力源が選択されずに、優先度が「３」の情報入力源が選択される。つまり、制御部３６は、優先モードの場合において優先度が最小値の「０」である情報入力源をＡＶ入力選択部３３に選択させずに、優先度が最大値の「３」である情報入力源をＡＶ入力選択部３３に選択させるように設定されている。
【００５０】
その後、ステップＳ１６において、上記ステップＳ１５において選択された情報入力源と同じ優先度を有する情報入力源が存在するか否かが判断される。そして、ステップＳ１６において、上記ステップＳ１５において選択された情報入力源と同じ優先度を有する情報入力源が存在しないと判断された場合には、ステップＳ２に戻る。また、ステップＳ１６において、上記ステップＳ１５において選択された情報入力源と同じ優先度を有する情報入力源が存在すると判断された場合には、ステップＳ１７に進み、同じ優先度を有する情報入力源のうち切替順序番号Ｎの小さい方が選択され、ステップＳ２に戻る。つまり、制御部３６は、優先モードにおいて、同じ優先度の情報入力源が複数存在する場合に、同じ優先度の情報入力源のうちの予め定められた切替順番の早い順に優先的に選択するように設定されている。
【００５１】
次に、図２〜図５を参照して、本実施形態による液晶テレビジョン１００の情報入力源（内蔵ＴＶチューナー部３１および第１〜第５外部入力）の優先度の状態遷移の一例について説明する。
【００５２】
まず、図４に示すように、初期状態では、複数の情報入力源のうち内蔵ＴＶチューナー３１の優先度のみが「３」であり、その他の情報入力源（第１外部入力〜第５外部入力）のそれぞれの優先度は「０」である。また、初期状態では、制御部３６（図２参照）は通常モードに設定されており、ＡＶ入力選択部３３は内蔵ＴＶチューナー３１を選択している。この初期状態において、ユーザが入力切替ボタン４０（図２参照）または５２（図３参照）を３回押下（それぞれ約０．５秒以内の押下）することにより、ＡＶ入力選択部３３により第３外部入力が選択され、映像表示部１１には、第３外部入力（ＤＶＤプレーヤー４１）に対応する画像が表示され、状態１に遷移される。なお、上記ユーザが入力切替ボタン４０または５２を３回押下（それぞれ約０．５秒以内の押下）する動作において、第１外部入力および第２外部入力に対応する優先度は、上記図５のステップＳ３〜ステップＳ８に示すように、増加されない。また、初期状態における第１外部入力および第２外部入力に対応する優先度は「０」なので、それぞれの優先度が減算されることもない。
【００５３】
そして、状態１において、ユーザが第３外部入力に対応するＤＶＤプレーヤー４１を３０秒以上視聴した後に、入力切替ボタン４０または５２を押下（約０．５秒以上の押下）した場合には、上記図５のステップＳ５に示すように、第３外部入力に対応する優先度が「１」増加される。また、入力切替ボタン４０または５２を押下した時間が所定の時間ｔ２（約０．５秒）以上であるため、上記図５のステップＳ８およびＳ９に示すように、通常モードは優先モードに変更される。その後、内蔵ＴＶチューナー３１が選択され、図４の状態１は状態２に遷移される。
【００５４】
その後、状態２において、ユーザが入力切替ボタン４０または５２を押下（約０．５秒以内の押下）することにより、モードが優先モードであるため、ＡＶ入力選択部３３は第３外部入力を選択する。これにより、図４の状態２は状態３に遷移される。そして、第３外部入力が選択されてから所定の時間ｔ１（約３０秒）未満でユーザが入力切替ボタン４０または５２を押下（約０．５秒以上の押下）することにより、ＡＶ入力選択部３３は第４外部入力を選択する。これにより、図４の状態３は状態４に遷移される。この際、ユーザが入力切替ボタン４０または５２を押下（約０．５秒以上の押下）しているため、図５のステップＳ８およびＳ９に示すように、モードは優先モードから通常モードに変更される。また、第３外部入力が選択されてから所定の時間ｔ１（約３０秒）未満でユーザが入力切替ボタン４０または５２を押下（約０．５秒以上の押下）しているため、上記図５のステップＳ３〜Ｓ８に示すように、第３外部入力の優先度は増加されない。
【００５５】
その後、第４外部入力が選択されている状態（状態４）において、第４外部入力が選択されてから所定の時間ｔ１（約３０秒）未満でユーザが入力切替ボタン４０または５２を押下（約０．５秒未満の押下）することにより、ＡＶ入力選択部３３は第５外部入力を選択し、映像表示部１１には、パソコン４２が表示される。これにより、図４の状態４は状態５に遷移される。その後、第５外部入力が選択されてから所定の時間ｔ１（約３０秒）以上でユーザが入力切替ボタン４０または５２を押下（約０．５秒以上の押下）することにより、図５のステップＳ８およびＳ９に示すように、モードは通常モードから優先モードに変更される。また、第５外部入力が選択されてから所定の時間ｔ１（約３０秒）以上でユーザが入力切替ボタン４０または５２を押下（約０．５秒以上の押下）しているため、上記図５のステップＳ３〜Ｓ９に示すように、第５外部入力の優先度は増加される。そして、ＡＶ入力選択部３３は内蔵ＴＶチューナー３１を選択し、図４の状態５は状態６に遷移される。
【００５６】
その後、状態６において、内蔵ＴＶチューナー３１が選択されてからユーザが入力切替ボタン４０または５２を押下（約０．５秒未満の押下）することにより、第３外部入力が選択され、映像表示部１１には、ＤＶＤレコーダー４１に対応する映像が表示され、図４の状態６は状態７に遷移される。その後、第３外部入力が選択されている状態（状態７）において、第３外部入力が選択されてから所定の時間ｔ１（約３０秒）以上でユーザが入力切替ボタン４０または５２を押下（約０．５秒以上の押下）することにより、図５のステップＳ８およびＳ９に示すように、モードは優先モードから通常モードに変更される。また、第３外部入力が選択されてから所定の時間ｔ１（約３０秒）以上でユーザが入力切替ボタン４０または５２を押下（約０．５秒以上の押下）しているため、上記図５のステップＳ３〜Ｓ９に示すように、第３外部入力の優先度は増加される。そして、ＡＶ入力選択部３３は、第４外部入力を選択し、図４の状態７は状態８に遷移される。
【００５７】
その後、状態８において、第４外部入力が選択されてから所定の時間ｔ１（約３０秒）未満でユーザが入力切替ボタン４０または５２を押下（約０．５秒未満の押下）することにより、第５外部入力が選択され、映像表示部１１には、パソコン４２に対応する映像が表示され、図４の状態８は状態９に遷移される。その後、第５外部入力が選択されている状態（状態９）において、第５外部入力が選択されてから所定の時間ｔ１（約３０秒）未満でユーザが入力切替ボタン４０または５２を押下（約０．５秒未満の押下）することにより、図５のステップＳ８、Ｓ１０およびＳ１２に示すように、第５外部入力の優先度は減少される。そして、ＡＶ入力選択部３３は、内蔵ＴＶチューナー部３１を選択し、図４の状態９は状態１０に遷移される。
【００５８】
本実施形態では、上記のように、通常モードにおいて選択された情報入力源（第１〜第５外部入力）に対応する表示が所定の時間ｔ１（約３０秒）未満である場合に、優先度を下げる制御を行う制御部３６を設けることによって、外部入力に接続されている外部機器の接続が解除された場合などに、使用しなくなる情報入力源（第１〜第５外部入力）の優先度を早く下げることができる。これにより、選択された情報入力源（第１〜第５外部入力）の優先度を上げるだけの場合や、所定の期間をかけて優先度を低下させる場合と比べて、早く、使用しない情報入力源（第１〜第５外部入力）の優先度を他の複数の情報入力源（第１〜第５外部入力）の優先度よりも相対的に低くすることができる。その結果、ユーザの使用傾向に沿った情報入力源を優先的に選択することができる。また、通常モードにおいて優先度を下げる制御を行う制御部３６を設けることによって、ユーザは、普段使用する情報入力源（第１〜第５外部入力）を選択する場合、普段使用しない情報入力源の選択をスキップなどする優先モードを使用するので、普段使用しない情報入力源を選択する際に使用することが多い通常モードのみで、情報入力源（第１〜第５外部入力）の優先度を下げることができる。これによっても、ユーザの使用傾向に沿った情報入力源を優先的に選択することができる。
【００５９】
また、本実施形態では、上記のように、制御部３６を、入力切替ボタン４０または５２が所定の時間ｔ２（約０．５秒）以上押下（長押し）された場合に、通常モードと優先モードとの間を互いに切替可能に構成することによって、入力切替ボタン４０または５２を所定の時間ｔ２（約０．５秒）以上押下することにより、簡単な操作で容易に、通常モードと優先モードとを切り替えることができる。
【００６０】
また、本実施形態では、上記のように、制御部３６を、通常モードと優先モードとの間を互いに切り替える場合には、通常モードにおいて選択された情報入力源に対応する表示が所定の時間ｔ１（約３０秒）未満である場合にも、優先度を下げないように構成することによって、通常モードと優先モードとの切替時には、ユーザは通常モードと優先モードとの間を互いに切り替える意図のみを有して入力切替ボタン４０または５２を操作していると考えられるので、この場合には、ユーザの考えに沿って優先度を下げずに維持することができる。
【００６１】
また、本実施形態では、上記のように、制御部３６を、優先モードの場合において優先度が最小値である情報入力源を選択しない制御をするように構成することによって、優先度が加算されている情報入力源間のみで情報入力源を選択することができるので、ユーザが普段使用することのない優先度が最小値である情報入力源をスキップするとともに、使用頻度の高いユーザが所望する情報入力源のみを選択することができる。
【００６２】
また、本実施形態では、上記のように、制御部３６を、優先モードにおいて、同じ優先度の情報入力源が複数存在する場合に、同じ優先度の情報入力源のうちの予め定められた順番の早い順に優先的に選択するように構成することによって、同じ優先度の情報入力源がある場合にも、規則的に情報入力源を選択することができる。
【００６３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６４】
たとえば、上記実施形態では、本発明の入力切替装置を液晶テレビジョンに適用した例について示したが、本発明はこれに限られない。たとえば、プラズマ表示画面を有するプラズマテレビジョンなど、液晶以外の表示画面を有するテレビジョン装置に本発明の入力切替装置を適用してもよい。また、本発明の入力切替装置を、たとえば、液晶プロジェクタ、カーナビゲーションシステムなど、テレビジョン装置以外に適用してもよい。
【００６５】
また、上記実施形態では、優先モードの場合において入力切替ボタンが操作された場合に、優先度が「０」の情報入力源をスキップする例について示したが、本発明はこれに限られない。本発明では、優先モードの場合においても入力切替ボタンが操作された場合に、優先度が「０」の情報入力源をスキップせずに全ての情報入力源を選択することができるようにしてもよい。
【００６６】
また、上記実施形態では、優先モードの優先度に上限（「３」）および下限（「０」）を設けた例について示したが、本発明はこれに限らない。本発明では、優先度に上限および下限を設けなくてもよい。また、ユーザにより優先度の上限を、たとえば、「４」または「５」に変更することが可能なようにしてもよい。
【００６７】
また、上記実施形態では、入力切替ボタンを所定の時間ｔ２以上押下した場合にモードを切り替える例について示したが、本発明はこれに限らない。たとえば、モード切替用のボタンを別途設けたり、所定の時間内に複数回入力切替ボタンを押下したりするなど、入力切替ボタンを所定の時間ｔ２以上押下する場合に限らなくてもよい。
【符号の説明】
【００６８】
１１  映像表示部（表示部）
３１  内蔵ＴＶチューナー部（内蔵チューナー部、情報入力源）
３２  外部入力接続部
３２ａ  第１外部入力接続部（外部入力接続部）
３２ｂ  第２外部入力接続部（外部入力接続部）
３２ｃ  第３外部入力接続部（外部入力接続部）
３２ｄ  第４外部入力接続部（外部入力接続部）
３２ｅ  第５外部入力接続部（外部入力接続部）
３６  制御部
３８  不揮発性メモリ（記憶部）
４０、５２  入力切替ボタン（切替ボタン、入力切替受付部）
４１  ＤＶＤプレーヤー（外部入力機器、情報入力源）
４２  パソコン（外部入力機器、情報入力源）
１００  液晶テレビジョン（テレビジョン装置、入力切替装置）
【図１】
2011023859.tif 000003
【図２】
2011023859.tif 000004
【図３】
2011023859.tif 000005
【図４】
2011023859.tif 000006
【図５】
2011023859.tif 000007